(57)【要約】【課題】使用することがより便利である電子番組ガイドを、提供する。【解決手段】複数のページ３を有する電子番組ガイドであって、各スクリーンに、単一の選択されたチャンネルのための番組情報を、番組情報ブロック３３に表示する。選択されたチャンネルの番組情報が、メインスクリーンに表示される場合、多様なチャンネルの名称が、スクリーンの左側に位置するチャンネルセル１において、ラベル付けされる。したがって、ユーザは、チャンネルセル１から、別のチャンネルを選択することが可能である。一旦、特定のチャンネルが選択されると、タイムゾーンブロック３１に配置される多様なタイムゾーンにおいて示される番組は、１つのスクリーンに、完全に表示される。【選択図】図７
2006254407.tif 000002
【特許請求の範囲】
【請求項１】
複数のページを有する電子番組ガイドであって、
前記ページの各々は、チャンネルセル、カーソル、複数の時刻セル、および、複数の番組ブロックを有しており、
前記チャンネルセルは、前記ページの一方のサイドに配置される複数のチャンネルの１つとラベル付けされ、
前記時刻セルは、複数のタイムゾーンを定義するため、前記サイドに対し直角をなし、一列に位置合せされ、
前記番組ブロックの各々は、前記タイムゾーンの１つに対応し、対応している前記タイムゾーンの前記チャンネルの番組名称を、示す
ことを特徴とする電子番組ガイド。
【請求項２】
前記番組ブロックの各々は、前記カーソルによって選択され、前記ページの番組情報ブロックにおいて、選択された番組の番組情報を表示することを特徴とする請求項１に記載の電子番組ガイド。
【請求項３】
前記番組ブロックが、前記カーソルによって選択された場合、選択された前記番組ブロックは、側方に延長することを特徴とする請求項２に記載の電子番組ガイド。
【請求項４】
前記番組ブロックが、前記カーソルによって選択された場合、選択された前記番組ブロックの前記番組名称のテキストフォントは、変更されることを特徴とする請求項２に記載の電子番組ガイド。
【請求項５】
前記番組ブロックが、前記カーソルによって選択された場合、選択された前記番組ブロックの前記番組名称のフォントサイズは、増加させられることを特徴とする請求項２に記載の電子番組ガイド。
【請求項６】
前記ページの各々の前記チャンネルセルは、前記ページの左サイドにあり、前記時刻セルは、前記ページの上端の行にあることを特徴とする請求項１に記載の電子番組ガイド。
【請求項７】
前記ページの各々の前記チャンネルセルは、前記ページの上端のサイドにあり、前記時刻セルは、前記ページの左端の列にあることを特徴とする請求項１に記載の電子番組ガイド。
【請求項８】
前記カーソルは、フレーム形状であることを特徴とする請求項１に記載の電子番組ガイド。
【請求項９】
前記時刻セルの各々は、複数のタイムゾーンを定義するための時刻を有することを特徴とする請求項１に記載の電子番組ガイド。
【請求項１０】
前記時刻セルの各々は、複数のタイムゾーンを定義するための時間枠を有することを特徴とすることを特徴とする請求項１に記載の電子番組ガイド。
【請求項１１】
前記ページは、複数の日付セルを、さらに有し、前記日付セルの各々は、日付がラベル付けされており、
前記日付セルが前記カーソルによって選択される場合、前記日付セルの１つに対応する日付における、以前に選択されたチャンネルの番組名称が、表示される
ことを特徴とする請求項１に記載の電子番組ガイド。
【請求項１２】
前記日付セルは、前記時刻セルの外側において、一列に位置合せされていることを特徴とする請求項１１に記載の電子番組ガイド。
【請求項１３】
前記ページの各々の前記チャンネルセルおよび前記時刻セルの両者は、スクロール自在の形態であることを特徴とする請求項１に記載の電子番組ガイド。
【請求項１４】
複数のチャンネルセル、
カーソル、
複数の時刻セル、および、
複数の番組ブロックを有しており、
前記チャンネルセルは、一列に位置合せされ、前記チャンネルセルの各々は、複数のチャンネルの１つに、ラベル付けされており、
前記カーソルは、操作され、前記チャンネルセルの１つを選択し、選択された前記チャンネルの番組情報を表示し、
前記時刻セルは、複数のタイムゾーンを定義するため、前記チャンネルセルに対し直角をなし、一列に位置合せされ、
前記番組ブロックの各々は、前記タイムゾーンの１つに対応し、対応している前記タイムゾーンにおける選択されたチャンネルのみの番組名称を、示す
ことを特徴とする電子番組ガイド。
【請求項１５】
前記番組ブロックの各々は、前記カーソルによって選択され、番組情報ブロックにおいて選択された番組の説明を表示することを特徴とする請求項１に記載の電子番組ガイド。
【請求項１６】
前記番組ブロックが、前記カーソルによって選択される場合、選択された前記番組ブロックは、側方に延長することを特徴とする請求項１５に記載の電子番組ガイド。
【請求項１７】
前記番組ブロックが、前記カーソルによって選択される場合、選択された前記番組ブロックにおける番組名称のテキストフォントは、変更されることを特徴とする請求項１５に記載の電子番組ガイド。
【請求項１８】
前記番組ブロックが、前記カーソルによって、選択される場合、選択された前記番組ブロックにおける番組名称のフォントサイズは、増加させられることを特徴とする請求項１５に記載の電子番組ガイド。
【請求項１９】
前記チャンネルセルは、前記電子番組ガイドの左端の列にあり、前記時刻セルは、前記電子番組ガイドの上端の行にあることを特徴とする請求項１４に記載の電子番組ガイド。
【請求項２０】
前記チャンネルセルは、前記電子番組ガイドの上端の行にあり、前記時刻セルは、前記電子番組ガイドの左端の列にあることを特徴とする請求項１４に記載の電子番組ガイド。
【請求項２１】
前記カーソルは、フレーム形状であることを特徴とする請求項１４に記載の電子番組ガイド。
【請求項２２】
前記時刻セルの各々は、複数のタイムゾーンを定義するための時刻を有することを特徴とする請求項１４に記載の電子番組ガイド。
【請求項２３】
前記時刻セルの各々は、複数のタイムゾーンを定義するための時間枠を有することを特徴とすることを特徴とする請求項１４に記載の電子番組ガイド。
【請求項２４】
複数の日付セルを、さらに有しており、
前記日付セルの各々は、日付がラベル付けされており、
前記日付セルが、前記カーソルによって選択される場合、前記日付セルの１つに対応する日付における、以前に選択されたチャンネルの番組情報が、表示される
ことを特徴とする請求項１４に記載の電子番組ガイド。
【請求項２５】
前記日付セルは、前記時刻セルの外側において、一列に位置合せされていることを特徴とする請求項２４に記載の電子番組ガイド。
【請求項２６】
前記チャンネルセルは、スクロール自在の形態であることを特徴とする請求項１４に記載の電子番組ガイド。
【請求項２７】
前記時刻セルは、スクロール自在の形態であることを特徴とする請求項１４に記載の電子番組ガイド。
【請求項２８】
電子番組ガイドを表示するための方法であって、
複数のチャンネルから１つのチャンネルを選択するためのステップ、
選択されなかったチャンネルの番組名称を表示せず、選択されたチャンネルの複数の番組名称を、表示するためのステップ、
前記番組名称の１つを選択するためのステップ、および、
選択された前記番組の番組情報を表示するためのステップ
を有することを特徴とする電子番組ガイドを表示するための方法。
【請求項２９】
選択された前記番組の番組情報を表示するための前記ステップは、テレビ局から送信される番組を表示するためのステップを、さらに有することを特徴とする請求項２８に記載の電子番組ガイドを表示するための方法。
【請求項３０】
選択された前記番組の番組情報を表示するための前記ステップは、テレビ局から送信される情報を表示するためのステップを、さらに有することを特徴とする請求項２８に記載の電子番組ガイドを表示するための方法。
【発明の詳細な説明】
【技術分野】
【０００１】
本発明は、概してテレビに関し、より多く詳しくは、複数チャンネルのテレビ放送システムにおける、テレビスクリーン上に、電子番組（ｐｒｏｇｒａｍ）ガイドを表示するための方法に、関する。
【背景技術】
【０００２】
従来のアナログテレビ放送システム（ＡＴＶ：ａｎａｌｏｇ  ｔｅｌｅｖｉｓｉｏｎ）において、補助テキスト情報は、音声および映像信号の垂直帰線（消去）区間（ＶＢＩ：ｖｅｒｔｉｃａｌ  ｂｌａｎｋｉｎｇ  ｉｎｔｅｒｖａｌ）の間に、送信される。補助信号は、主に、電子番組ガイド（ＥＰＧ：ｅｌｅｃｔｒｏｎｉｃ  ｐｒｏｇｒａｍ  ｇｕｉｄｅ）を生成するために使用される。電子番組ガイドは、ＴＶユーザが、所望の番組を選択するための参考として利用される。
【０００３】
しかし、補助情報を、直接表示することができない。それは、補助情報が、間欠的に送信されており、表示プロセスを開始する前に、格納かつ蓄積し、情報の完全なセットを生成する必要があるためである。したがって、補助情報は、多様なコンパイルロジックを使用し、異なる方法で表示させることが可能である。
【０００４】
代表的なアナログテレビ放送システムは、１つのチャンネルの番組を送信するために、６ＭＨｚのバンド幅を使用する。このようなバンド幅が、デジタル圧縮信号を送信するために使用される場合、送信速度は、１９Ｍｂｐｓ程度の速さに、到達し得る。
【０００５】
現在利用可能なＭＰＥＧ（Ｍｏｔｉｏｎ  Ｐｉｃｔｕｒｅ  Ｅｘｐｅｒｔｓ  Ｇｒｏｕｐ）の圧縮方式によれば、音声および映像番組の送信は、６Ｍｂｐｓの送信速度のみで、達成することが可能である。これは、３つあるいは４つのチャンネルの番組を、同時に送信するために、６ＭＨｚのバンド幅を、使用可能であることを、意味する。
【０００６】
したがって、デジタル送信は、テレビ局によって標準バンド幅の範囲内において複数のチャネルの番組を送信可能とすることに加えて、豊富な（ｅｘｕｂｅｒａｎｔ）補助情報が、番組と共に、送信されることも可能とする。補助情報は、天気予報および株式市場情報を含むが、これに限定されるものではなく、データ放送と、また呼ばれる。
【０００７】
したがって、デジタルテレビ放送（デジタルＴＶ，ＤＴＶ）システムの最も明らかな利点は、ＴＶユーザが、以前に比べて、３倍あるいは４倍の放送チャンネルにアクセス可能である、ということである。
【０００８】
その結果、ＴＶユーザは、電子番組ガイドに、ますます激しく依存し、電子番組ガイドを、さらに頻繁に利用するようになっている。したがって、電子番組ガイドの表示は、テレビメーカおよびデザイナーにとって、非常に重要な問題になっており、使用することがより便利である電子番組ガイドをデザインすることに、邁進している。
【０００９】
図１を参照し、従来技術に係る電子番組ガイドを表示するための方法を説明する。
【００１０】
従来の方法は、図１に示されるように、テーブルとして電子番組ガイドを、表示する。テーブルのセルにリストアップされるのは、同じタイムゾーンあるいは複数のタイムゾーンにおいて放送される複数のチャネルにおける複数の番組である。
【００１１】
フレーム形状の選択カーソルＡは、電子番組ガイドの色と異なる特定の色を有する。選択カーソルＡを、目標のセルに移動させることによって、ユーザは、番組を選択することが可能であり、そして、特定のセルにおける番組の番組説明Ｂが、付加的あるいはポップアップのウィンドウにおいて、表示される。
【００１２】
また、複数ページの表示モードが適応されているものもある（例えば、特許文献１参照。）。
【特許文献１】米国特許第６７６３５２２号明細書（図２）
【発明の開示】
【発明が解決しようとする課題】
【００１３】
しかし、図１に示されるタイプの電子番組ガイドは、単一のページにおいて複数のチャネルの番組を表示するため、過剰な言葉によって、しばしば、番組／チャネル選択における困難を、生じる。その上、電子番組ガイドにおけるチャンネルの各々の番組情報が、供給チャンネル（ｓｕｐｐｌｙ  ｃｈａｎｎｅｌ）から送信される信号から得られるため、電子番組ガイドにおける特定の１つのチャンネルが選択されるまで、最新の番組情報を、引き出す（ｒｅｔｒｉｅｖｅ）ことができない。
【００１４】
これは、特定のチャンネルが２、３日間選択されない場合、特定のチャンネルの番組情報が、特定のチャンネルが最後に選択された際に受信されたものと、同一のままであることを意味する。この番組情報が、ごく最近にアップデートされた場合、電子番組ガイドに表示される特定のチャンネルの番組情報は、古くなっており、実際の放送と異なることとなる。
【００１５】
さらに、チャンネルが以前に選択された際に、送信された（ｕｐｃｏｍｉｎｇ）番組情報が受信された時からの、所定の期間より長い期間において、チャンネルが、選択されなかった場合、チャンネルのウィンドウＢは、ブランクとなる。例えば、来週の番組の情報が、ある時点で受信され、当該時点以後の数週間に渡り、ユーザがそのチャンネルを選択しなかった場合、上記の状況が、発生し得る。
【００１６】
一方、特許文献１の図２に開示されている別の電子番組ガイドにおいて、第１のページに、主チャンネルの名称が、インデックスとして、左側の列（ｃｏｌｕｍｎ）にラベル付けされている。特定の主チャンネルが選択された場合のみ、下位チャンネル（ｓｕｂｏｒｄｉｎａｔｅ  ｃｈａｎｎｅｌ）において現在放送されている番組の詳細なリストが、下位ページ（ｓｕｂ  ｐａｇｅ）に、表示される。
【００１７】
例えば、主チャンネルＸ，Ｙ，Ｚの名称だけが、フロントページに表示される。そして、主チャンネルＸが選択されるまで、主チャンネルＸに属するチャンネルＸ１，Ｘ２，Ｘ３の名称および現在放送されている番組は、下位ページに表示されない。
【００１８】
単一ページの表示モードの電子番組ガイドと比較すると、このタイプの電子番組ガイドは、より複雑でない。
【００１９】
しかし、このタイプの電子番組ガイドは、現在放送されている番組の情報を、表示可能であるだけである。換言すれば、ユーザは、現在のタイムゾーン中の番組の情報を、受信できるだけであり、未来のタイムゾーンにおける番組を、プレビューすることができない。
【００２０】
本発明は、上記従来技術に伴う課題を解決するためになされたものであり、使用することがより便利である電子番組ガイド、および、使用することがより便利である電子番組ガイドを表示するための方法を、提供することを目的とする。
【課題を解決するための手段】
【００２１】
請求項１に記載の発明によれば、
複数のページを有する電子番組ガイドであって、
前記ページの各々は、チャンネルセル、カーソル、複数の時刻セル、および、複数の番組ブロックを有しており、
前記チャンネルセルは、前記ページの一方のサイドに配置される複数のチャンネルの１つとラベル付けされ、
前記時刻セルは、複数のタイムゾーンを定義するため、前記サイドに対し直角をなし、一列に位置合せされ、
前記番組ブロックの各々は、前記タイムゾーンの１つに対応し、対応している前記タイムゾーンの前記チャンネルの番組名称を、示す
ことを特徴とする電子番組ガイドである。
【００２２】
請求項１４に記載の発明によれば、
複数のチャンネルセル、
カーソル、
複数の時刻セル、および、
複数の番組ブロックを有しており、
前記チャンネルセルは、一列に位置合せされ、前記チャンネルセルの各々は、複数のチャンネルの１つに、ラベル付けされており、
前記カーソルは、操作され、前記チャンネルセルの１つを選択し、選択された前記チャンネルの番組情報を表示し、
前記時刻セルは、複数のタイムゾーンを定義するため、前記チャンネルセルに対し直角をなし、一列に位置合せされ、
前記番組ブロックの各々は、前記タイムゾーンの１つに対応し、対応している前記タイムゾーンにおける選択されたチャンネルのみの番組名称を、示す
ことを特徴とする電子番組ガイドである。
【００２３】
請求項２８に記載の発明によれば、
電子番組ガイドを表示するための方法であって、
複数のチャンネルから１つのチャンネルを選択するためのステップ、
選択されなかったチャンネルの番組名称を表示せず、選択されたチャンネルの複数の番組名称を、表示するためのステップ、
前記番組名称の１つを選択するためのステップ、および、
選択された前記番組の番組情報を表示するためのステップ
を有することを特徴とする電子番組ガイドを表示するための方法である。
【発明の効果】
【００２４】
提供される電子番組ガイドは、テレビのユーザあるいは視聴者が、複数のページにリストアップされた多様なチャンネルにより提供される番組情報を、取り出すことを可能にする。ページの各々は、多様なタイムゾーンにおける単一のチャンネルにより放送される番組を、含んでいる。そのため、ページの各々のために要求されるテキストは、削減されるにもかかわらず、充分な番組情報が、提供される。多様なチャンネルにラベル付けされたチャンネルセルを選択する場合、ユーザは、ページを切換えることによって、簡単かつ直観的に、多様なチャンネルの番組情報を得ることができる。
【００２５】
特定のチャンネルの番組情報は、１つのページのみにおいて表示されるため、ページの各々に表示される番組情報は、決して、古くも（ｏｕｔｄａｔｅｄ）、ブランクでもなく、また、選択されるたびに、アップデートされることが、好ましい。
【００２６】
実施の形態おいて、複数のチャンネルにラベル付けされたチャンネルセルは、左端の列にある。多様なタイムゾーンは、電子番組ガイドの上端の行にある。チャンネルセルの１つが、カーソルによって選択される場合、チャンネルの番組名称は、タイムゾーンに対応する番組ブロックにおいて、表示される。番組ブロックの１つが、カーソルによって選択される場合、選択された番組の番組情報は、別のブロックにおいて、表示される。
【００２７】
以上のように、使用することがより便利である電子番組ガイド、および、使用することがより便利である電子番組ガイドを表示するための方法を、提供することができる。
【発明を実施するための最良の形態】
【００２８】
以下、本発明の実施の形態を、図面を参照しつつ説明する。本発明は、一例としての以下の詳細の説明から、よりよく理解されるだろう。したがって、それらは、本発明を、制限するものではない。
【００２９】
図２および図３を参照する。なお、図２は、本発明に係る電子番組（ｐｒｏｇｒａｍ）ガイドにおける表示の実施の形態を説明するための図、図３は、チャンネルスイッチ後における、図２の電子番組ガイドの表示を説明するための図である。
【００３０】
図２および図３に示されるように、チャンネルの各々の名称は、セル（チャンネルセル）１によって、スクリーンの左端の列（ｃｏｌｕｍｎ）において、ラベル付けされている。これは、セル１の各々が、チャンネルの名称あるいはシンボルを、有することを、意味する。
【００３１】
セル１の間に位置するフレーム形状のカーソル２を、上昇あるいは降下するように、移動させることによって、ユーザは、目的のチャンネルを選択可能となる。チャンネルの数が、多すぎて、同時に表示できない場合、ユーザは、セル１をスクロールアップあるいはスクロールダウンすることで、残りのチャンネルを、閲覧（ｂｒｏｗｓｅ）することができる。
【００３２】
セル１の各々は、番組情報ページ３に対応し、また、対応しているセル１の番組情報だけが、番組情報ページ３に、表示される。したがって、カーソル２を、対応しているセル１に移動させることで、特定のチャンネルが選択される場合、選択されたチャンネルの番組情報だけが、番組情報ページ３に、表示される。
【００３３】
これは、リストアップされたチャンネルの各々が、独立した番組情報ページ３を有しており、複数の番組情報ページ３が、互いに重なり合っていることを、意味している。一旦、セル１が選択されると、選択されたセル１に対応する番組情報ページ３が、引き出され（ｒｅｔｒｉｅｖｅ）、フロントページに表示される。一方、残りの番組情報ページ３は、その下に隠される。
【００３４】
図２および図３に示されるように、タイムゾーンブロック３１は、番組情報ページ３の各々の上端（ｔｏｐ）かつ水平に、配置される。チャンネルのラベル付けのための列も同様に、タイムゾーンブロック３１を、左右にスクロールすることで、より多くのタイムゾーンを収容することが可能である。
【００３５】
番組ブロック３２は、多様なタイムゾーンに対応する番組の名称を示しており、タイムゾーンブロック３１の直下に位置する。番組ブロック３２の各々は、カーソル２によって、選択可能である。
【００３６】
そして、選択後において、選択された番組の簡単な説明が、番組ブロック３２の下の番組情報ブロック３３に、表示される。そのため、ユーザは、選択された番組のコンテンツ情報を、番組の簡単な説明から、取得することが可能である。
【００３７】
注目されるのは、図２および図３に示されるように、タイムゾーンブロック３１が複数のセル（時刻セル）３１１を有し、セル３１１の各々が、別のセル３１１（例えば、１２：００，１２：３０，１３：００，…）と異なる特定の時刻を有することである。
【００３８】
番組が開始するセル３１１から、番組が終了するセル３１１に向かって、番組ブロック３２を、側方に延長することによって、タイムゾーンの各々に対応する番組ブロック３２が、表示される。同時に、タイムゾーンの各々は、対応しているセル３１１を使用し、番組ブロック３２の開始エッジおよび終了エッジを位置合せすることによって、定義される。しかし、本発明は、これに限定されない。
【００３９】
タイムゾーンブロック３１のセル３１１は、異なる時間枠（ｔｉｍｅ  ｐｅｒｉｏｄ）を有したり（例えば、１２：００〜１２：３０，１２：３０〜１３：００，…）、あるいは、１つのセル３１１の時間枠が、他のセル３１１の時間枠と異なるようにしたり（例えば、１２：００〜１２：３０，１２：３０〜１３：３０，…）、設定することが可能である。
【００４０】
実際、一旦、セル３１１の位置合せによって、タイムゾーンの各々に対応する番組ブロック３２が、成功裏に表示可能とされると、それは、本発明の範囲内である。加えて、セル１、番組ブロック３２およびセル３１１の配置は、実際の実施によれば、交換可能である。このような状況下において、表示ロジックおよび原理は、なおも同様である。視覚的効果だけが、付加されているため、等価交換として見なされる。
【００４１】
図４を参照し、複数日に渡る番組情報を提供する、本発明に係る電子番組ガイドにおける表示の別の実施の形態を説明する。なお、図５は、異なるタイプのカーソルを説明するための図である。
【００４２】
図４に示されるように、複数日に渡る番組情報を、提供することが可能である。行（ｒｏｗ）に位置合せされた複数のセル（日付セル）３４は、番組情報ページ３の各々のトップに、設定される。セル３４の各々は、日付でラベル付けされており、当該日付は、今日から数日である。
【００４３】
図４において、３／１〜３／７を含んでいる７日で、ラベル付けされたセル３４が、示されている。カーソル２を、特定のセル３４へ移動させることによって、セル３４が選択され、その日における特定のチャンネルの番組情報を表示することが可能である。垂直および水平に、セルを選択することによって、要求された番組情報に、アクセス可能であるため、操作する誰にとっても、非常に簡単である。
【００４４】
さらに、カーソルの移動は、フレームの色の変化により示されることに限定されず、図５に示されるように、選択された番組ブロック３２を拡大したり、選択された番組ブロック３２におけるテキストのフォントを変更したり、フォントサイズを増加させることによって、選択されたブロックの視覚的効果を、向上させることが可能である。
【００４５】
加えて、カーソル２の形状は、フレームに限定されない。例えば、カーソル２は、三角形状フレーム、食（ｅｃｌｉｐｓｅ）形状フレーム、多角形状フレーム、あるいは、直角形状フレーム以外の形状とすることが可能である。また、選択セルと他のセルとが容易に区別可能である限り、カーソル２は、例えば、
【００４６】
【数１】
2006254407.tif 000003
【００４７】
のような如何なる形態のマークとすることもできる。
【００４８】
また、セル３４は、番組情報ページ３の上端の行の代わりに、番組情報ページ３の別の位置に、割り当てて、ランダムに位置合せすることも可能である。垂直および水平に、セルを、簡単に選択することによって、一旦、ユーザが、要求された番組情報を取得すると、それは本発明の範囲内である。
【００４９】
図６は、本発明に係る電子番組ガイドからの番組情報を、引き出すための操作プロセスを説明するためのフローチャートである。
【００５０】
電子番組ガイドを、入力（ｅｎｔｅｒ）する場合、カーソル２を、対応しているセル１へ移動させることで、チャンネルが選択される（ステップＳ１）。チャンネルが選択される場合、選択されたチャンネルの番組情報ページ３が、表示され、番組情報が、示される（ステップＳ２）。次に、選択されたチャンネルの特定の番組が、選択される（ステップＳ３）。したがって、選択された番組の簡単な説明が、取得可能である（ステップＳ４）。
【００５１】
このプロセスは、操作する誰にとっても、非常に単純で、論理的かつ容易である。ページの各々において表示される１つのチャンネルの番組情報のみを有するため、インタフェースは、単純かつ明確であり、多くの、冗長あるいは望まないテキストがなく、理解するのが容易である。本発明に係る電子番組ガイドが、従来技術に係る電子番組ガイドより優れていることは、非常に明らかである。
【００５２】
図７を参照し、本発明に係る電子番組ガイドの別の実施の形態を説明する。
【００５３】
本実施の形態において、テレビ局から送信される番組および／または情報は、選択された番組の簡単な説明と共に、同時に表示可能である。テレビ局により送信される番組および／または情報は、音声／映像コンテンツ、選択された番組に関するコンテンツ情報、チャンネルプロバイダのサービス情報、あるいは、選択された番組と無関係な他の情報を、含んでいる。
【００５４】
図７に示されるように、カーソル２が、特定の番組ブロック３２を選択するために利用される場合、この特定の番組ブロック３２における番組が、現在放送されていると、この番組の音声および映像コンテンツが、番組情報ブロック３３の範囲内でポップアップする音声−映像ブロック３５において、表示される。選択された番組が、現在放送されている番組でない場合、音声−映像ブロック３５が、ポップアップせず、あるいは、音声−映像ブロック３５は、ブランクとなる。
【００５５】
一方、特定の番組ブロック３２が選択される場合、選択された番組に関連する情報および無関係な情報が、番組情報ブロック３３内の情報ブロック３６において、表示される。
【００５６】
なお、図７は、選択現在放送されているお昼のニュースを選択した場合の一例である。この条件下において、ニュースを放送しているアナウンサー（ｂｒｏａｄｃａｓｔｅｒ）の画像が、音声−映像ブロック３５に、表示されると共に、競売される、アナウンサーの中古衣服を示している情報が、情報ブロック３６に、表示される。
【００５７】
この好ましい実施の形態において、ユーザは、番組を選んだ後において、スクリーン上に画像が重なることなく、現在放送された番組を視聴し、かつ、同時に、多様な情報を、取得することができる。したがって、ユーザおよびテレビ局の両者にとって、非常に便利である。注目する点は、時間枠が、図７のタイムゾーンブロック３１のセル３１１に、含まれていることである。
【００５８】
以上のように、使用することがより便利である電子番組ガイド、および、使用することがより便利である電子番組ガイドを表示するための方法を、提供することができる。
【００５９】
本発明は、好ましい実施の形態を参照し、特に、説明かつ記述されているが、当業者にとって、添付の特許請求の範囲によって定義される、本発明の趣旨および範囲から逸脱することなく、形態および細部における多様な変更を、達成することが可能であることは、理解されるだろう。つまり、本発明は、上述した実施の形態に限定されるものではなく、特許請求の範囲の範囲内で種々改変することができる。
【図面の簡単な説明】
【００６０】
【図１】従来技術に係る電子番組ガイドを表示するための方法を説明するための図である。
【図２】本発明に係る電子番組ガイドにおける表示の実施の形態を説明するための図である。
【図３】チャンネルスイッチ後における、図２の電子番組ガイドの表示を説明するための図である。
【図４】複数日に渡る番組情報を提供する、本発明に係る電子番組ガイドにおける表示の別の実施の形態を説明するための図である。
【図５】異なるタイプのカーソルを説明するための図である。
【図６】本発明に係る電子番組ガイドからの番組情報を、検索するための操作プロセスを説明するためのフローチャートである。
【図７】本発明に係る電子番組ガイドの別の実施の形態を説明するための図である。
【符号の説明】
【００６１】
１・・セル（チャンネルセル）、
２・・カーソル、
３・・番組情報ページ、
３１・・タイムゾーンブロック、
３２・・番組ブロック、
３３・・番組情報ブロック、
３４・・セル（日付セル）、
３５・・音声−映像ブロック、
３６・・情報ブロック、
３１１・・セル（時刻セル）。
【図１】
2006254407.tif 000004
【図２】
2006254407.tif 000005
【図３】
2006254407.tif 000006
【図４】
2006254407.tif 000007
【図５】
2006254407.tif 000008
【図６】
2006254407.tif 000009
【図７】
2006254407.tif 000010